(57)【要約】【課題】蓋板が浮き上がってから上方へ開き、回動させる蓋板の外側面と該蓋板を囲む枠体内側面との間に間隙が生じない水平蓋開閉装置を提供する。【解決手段】蓋板の裏面に固着する取付プレートと、取付プレートに枢着する主リンク体と、取付プレートにおいて主リンク体よりも下方で枢着する従リンク体と、主リンク体および従リンク体の固定軸を支承する支持枠台とを備え、主リンク体の固定軸点は蓋板閉鎖状態において可動軸点とほぼ同一平面かまたはわずかに下方に位置し、且つ従リンク体の固定軸点は主リンク体の固定軸点よりも下方に位置する。【選択図】      図５
2004323070.tif 000002
【特許請求の範囲】
【請求項１】
蓋板の裏面に固着する取付プレートと、取付プレートに枢着する主リンク体と、取付プレートにおいて主リンク体よりも下方で枢着する従リンク体と、主リンク体および従リンク体の固定軸を支承する支持枠台とを備え、主リンク体の固定軸点は蓋板閉鎖状態において可動軸点とほぼ同一平面かまたはわずかに下方に位置し、且つ従リンク体の固定軸点は主リンク体の固定軸点よりも下方に位置し、蓋板を上方へ引き上げると、取付プレートを経て主リンク体および従リンク体がともに上方へ回動し、主リンク体の回転によって該取付プレートをほぼ垂直上方へ引き上げてから、従リンク体の回転によって取付プレートを上方へ開放する水平蓋開閉装置。
【請求項２】
蓋板の裏面に固着する取付プレートと、取付プレートに枢着する主リンク体と、取付プレートにおいて主リンク体よりも下方で枢着する従リンク体と、主リンク体および従リンク体の固定軸を支承する支持枠台と、該支持枠台内に収納する圧縮コイルバネとを備え、従リンク体の固定軸点は主リンク体の固定軸点よりも下方に位置し、従リンク体における固定軸点の部分が圧縮コイルバネと接触する板カム部からなり、蓋板を閉じると、取付プレートを経て主リンク体および従リンク体がともに下方へ回動し、この際に、従リンク体の板カム部が圧縮コイルバネを圧縮することによって回動を制動し、蓋板の急激な下降を抑制する水平蓋開閉装置。
【請求項３】
蓋板の裏側に固着する取付プレートと、取付プレートに枢着し且つ面カム部を有する主リンク体と、取付プレートにおいて主リンク体よりも下方で枢着する従リンク体と、従リンク体に取り付け且つ面カム部の案内溝に沿って摺動する突起を有する従動片とを備え、蓋板を上方へ引き上げると、取付プレートを経て主リンク体および従リンク体がともに上方へ回動し、従動片の突起は従リンク体とともに面カム部の案内溝に沿って摺動し、蓋板の全開位置において従動片の突起は案内溝の隅部で停止し、蓋体が全開位置から急激に閉鎖することを折り返し位置で止めるため、面カム部の案内溝において下向き折曲部を設け、一方、取付プレートを閉じると従動片の突起が案内溝のプランジャ片を押し退けて案内溝の原位置に戻る水平蓋開閉装置。
【請求項４】
従動片は、従リンク体の表面に回動自在に軸着し且つバネによって前方へ付勢している請求項３記載の開閉装置。
【請求項５】
面カム部の案内溝は往路と復路が異なる環状であり、案内溝の復路側に位置するプランジャ片がバネによって復路を常時閉じている請求項３記載の開閉装置。
【発明の詳細な説明】
【０００１】
【発明の属する技術分野】
本発明は、蓋板が浮き上がってから上方へ開く水平蓋開閉装置に関し、回動させる蓋板の外側面と該蓋板を囲む枠体内側面との間に間隙が生じない水平蓋開閉装置に関する。
【０００２】
【従来の技術】
容器類には、開閉蓋が取り付けられることが多く、この取付金具は一般にヒンジである。容器の開閉蓋は、垂直に配置されている場合、蓋板の重量はヒンジに作用するだけであるから、ヒンジの強度が問題になることはあっても、蓋板の開閉に際してその重量が問題視されることは殆どない。また、小型で軽い開閉蓋であれば、蓋板の配置がどのような方向であっても、その開閉は容易である。
【０００３】開閉蓋を水平に配置すると、開閉の際に蓋板の重量が直接作用することになり、１８０度の完全開放でない部分的な開放が必要であるならば、蓋板を一時的に掛止めする金具を取り付けることが望ましい。金属蓋のような比較的重い開閉蓋があれば、板バネやコイルバネを設置して蓋板の開放を補助したり、蓋板の急激な閉鎖を防ぐために緩衝部材を取り付けることも必要である。これらの金具や部品は、現在、数多く市販されている。
【０００４】
【発明が解決しようとする課題】
水平蓋の特殊な用途として、例えば、マンホールや排水溝の蓋のように、人が蓋の上を歩く可能性があるならば、図９に示すように、蓋板ａの表面ｂと該蓋板を囲む枠体ｃの表面ｄとの高さが等しくなるように設置することを要する。このような蓋設置は美観を高めるうえでも望ましい。蓋板ａの表面ｂと枠体ｃの表面ｄとの高さを等しくすると、図９において一点鎖線で示すように、蓋板ａの開閉を可能にするために、蓋板の外側面と該蓋板を囲む枠体内側面との間に間隙ｅを設けなければならない。
【０００５】歩行面において間隙ｅが存在することは、この間隙に人が躓いて危険であり、美観的にも好ましくない。このため、マンホール蓋などでは、ヒンジなどの開閉部材を取り付けることなく、その蓋をマンホールや排水溝の穴に嵌めるだけの構成である。しかしながら、蓋板が蓋枠体から遊離していると、蓋板の閉め忘れが発生して危険であり、重い蓋板であれば、それを蓋枠体に外したり嵌めたりする作業も重労働である。
【０００６】本発明は、水平蓋に関する前記の問題点を改善するために提案されたものであり、蓋板が枠体にぴったり嵌る水平蓋開閉装置を提供することを目的としている。本発明の他の目的は、重い蓋板であっても開閉が比較的容易である水平蓋開閉装置を提供することである。本発明の別の目的は、蓋板を所定の開放位置で静止できて安全な水平蓋開閉装置を提供することである。
【０００７】
【課題を解決するための手段】
上記目的を達成するために、本発明に係る水平蓋開閉装置は、蓋板の裏面に固着する取付プレートと、取付プレートに枢着する主リンク体と、取付プレートにおいて主リンク体よりも下方で枢着する従リンク体と、主リンク体および従リンク体の固定軸を支承する支持枠台とを備える。この水平蓋開閉装置において、主リンク体の固定軸点は蓋板閉鎖状態において可動軸点とほぼ同一平面かまたはわずかに下方に位置し、且つ従リンク体の固定軸点は主リンク体の固定軸点よりも下方に位置する。この水平蓋開閉装置では、蓋板を上方へ引き上げると、取付プレートを経て主リンク体および従リンク体がともに上方へ回動し、主リンク体の回転によって該取付プレートをほぼ垂直上方へ引き上げてから、従リンク体の回転によって取付プレートを上方へ開放する。
【０００８】本発明の水平蓋開閉装置は、蓋板の裏面に固着する取付プレートと、取付プレートに枢着する主リンク体と、取付プレートにおいて主リンク体よりも下方で枢着する従リンク体と、主リンク体および従リンク体の固定軸を支承する支持枠台と、該支持枠台内に収納する圧縮コイルバネとで構成してもよい。この水平蓋開閉装置において、従リンク体の固定軸点は主リンク体の固定軸点よりも下方に位置し、従リンク体における固定軸点の部分が圧縮コイルバネと接触する板カム部からなる。この水平蓋開閉装置では、蓋板を閉じると、取付プレートを経て主リンク体および従リンク体がともに下方へ回動し、この際に、従リンク体の板カム部が圧縮コイルバネを圧縮するによって回動を制動し、蓋板の急激な下降を抑制する。
【０００９】この発明の水平蓋開閉装置は、蓋板の裏側に固着する取付プレートと、取付プレートに枢着し且つ面カム部を有する主リンク体と、取付プレートにおいて主リンク体よりも下方で枢着する従リンク体と、従リンク体に取り付け且つ面カム部の案内溝に沿って摺動する突起を有する従動片とで構成してもよい。この水平蓋開閉装置では、蓋板を上方へ引き上げると、取付プレートを経て主リンク体および従リンク体がともに上方へ回動し、従動片の突起は従リンク体とともに面カム部の案内溝に沿って摺動し、取付プレートを上方へ開放していくと従動片の突起は案内溝の隅部で停止する。この蓋体が全開位置から急激に閉鎖することを折り返し位置で止めるため、面カム部の案内溝において下向き折曲部を設ける。一方、取付プレートを閉じると、主リンク体および従リンク体が従動片とともに下方へ回動し、該従動片の突起が案内溝のプランジャ片を押し退けて案内溝の原位置に戻る。
【００１０】この水平蓋開閉装置において、従動片は、従リンク体の表面に回動自在に軸着し且つバネによって前方へ付勢すると好ましい。また、この水平蓋開閉装置において、面カム部の案内溝は往路と復路が異なる環状であり、案内溝の復路側に位置するプランジャ片はバネによって復路を常時閉じていると好ましい。
【００１１】
【発明の実施の形態】
本発明に係る水平蓋開閉装置１は、矩形枠体５との間に間隙や段差が生じないので、工作機械の取付容器、電気機器の部品収納ボックス自動車のコンソールボックス、机の天板の一部、キャビネットや収納箱の水平蓋などに適用できる。水平蓋開閉装置１では、人が蓋体の近辺を歩いたり該蓋体の上を歩いてもつまずくことがなく、非常に重い蓋でないならば、ビルや個人住宅における排水溝や配管容器の蓋、工場のマンホール蓋、地下室への入口扉などに利用できる。
【００１２】水平蓋開閉装置１は、通常、図１のように左右１対で用い、蓋板３の裏面において容器内側壁に両側に設置する。開閉装置１は、比較的幅狭の矩形蓋や円形蓋であれば１台だけ取り付けてもよく、この場合には縦方向について対称の構造に形成すると好ましい。開閉装置１において、適用可能な蓋体の平面形状は任意であり、図１のような矩形や円形のほかに、楕円形や菱形などの変形蓋でもよい。
【００１３】水平蓋開閉装置１では、所定の形状の取付プレート７、主リンク体１６、従リンク体２０および支持枠台８との組合せにより、蓋板３を枠体５にぴったり嵌合させ、該枠体との間に間隙や段差が生じないように構成することが可能である。比較的軽い蓋体であるならば、圧縮コイルバネ６６の使用および／または主リンク体１６の案内溝４６と従リンク体２０の従動片４４との組合せを省略することも可能である。
【００１４】支持枠台８に収納した圧縮コイルバネ６６は、従リンク体２０の板カム部６４とともに、重い蓋体３の開放を補助し、該蓋体３の急激な閉鎖を抑制する。コイルバネ６６に代えて、板バネまたは捻りコイルバネなどを使用してもよい。また、コイルバネ６６と板カム部６４との組合せの代わりに、引張りコイルバネを使用することも可能である。
【００１５】開閉装置１の主リンク体１６について、面カム部２４は主リンク体１６と一体に形成してもよい。面カム部２４において、案内溝４６の平面形状は蓋体３の開口度、開口の仕方、静止位置などに応じて任意に変更できる。蓋板３の全開位置（図３）において、従動片４４の突起７０は案内溝４６の隅部４６ｂで停止し、この状態において蓋体３は安定して静止する。また、案内溝４６に下向き折曲部４６ｃを形成すると、従動片４４の突起７０が下向き折曲部４６ｃでも停止するため、蓋体３が全開位置から急激に閉鎖することを折り返し位置（図８）で止めることになり、全開位置の蓋体３に人が寄りかかるだけで急閉鎖することを防ぐという安全機構を構成している。
【００１６】開閉装置１について、例えば、蓋体３が全開位置だけで静止させるならば、案内溝４６における下向き折曲部４６ｃの形成は不要である。２重の安全化のために、異なる折り返し位置で２回静止させる必要があるならば、下向き折曲部を２個有する案内溝を形成すればよい。
【００１７】
【実施例】
次に、本発明を実施例に基づいて説明するが、本発明は実施例に限定されるものではない。図１に例示するように、本発明に係る水平蓋開閉装置１は、机の天板２の一部に設置され、人が蓋板３の上を歩くことはないけれども、美観と実用性のために、蓋板３の表面と該蓋板を囲む矩形枠体５の表面との高さを等しく定める。水平蓋開閉装置１で構成する容器つまり上開き箱の中には、ノートパソコンやＢ４判の紙などをそのまま容易に収納できる。
【００１８】水平蓋開閉装置１は、蓋板３を安定支持するために通常１対で用い、図１のように蓋板裏面の左右両側に配置する。開閉装置１に関して、取付プレート７（図２参照）を蓋板３の裏側にボルト止めし、支持枠台８（図５参照）を箱内側壁に直接または間接的に固着する。蓋体３の表面において、その前方中央に蓋体３を引き上げるための回転金具１０などを設置し、該金具は不使用時には蓋体３と同一平面に位置すると好ましい。図２から図８では、図１における右側の開閉装置１を示しており、蓋板３の長さは図１の場合よりもかなり短めである。
【００１９】開閉装置１について、図２に取付プレート７を示し、該プレートは、矩形平面の水平部１２と直角三角形側面の垂直部１４とからなる。水平部１２には複数個の貫通孔（図示しない）を設け、該貫通孔によってプレート７を蓋板３の裏側にボルト止めする。垂直部１４には、主リンク体１６（図３）用の貫通孔１８と、従リンク体２０（図４）用の貫通孔２２とを設ける。図２において、貫通孔１８は垂直部１４のほぼ縦方向中間であり、貫通孔２２は垂直部１４の下方部に位置する。貫通孔１８，２２の直線距離は、蓋体３の開口度およびリンク体１６，２０の位置と長さに応じて適切に定める。
【００２０】主リンク体１６は、図３に示すようにやや幅広で細長く、中央より少し前方に矩形平面の面カム部２４の段差部をピンでかしめ止めし、該面カム部は主リンク体１６とほぼ同じ平面に設置する。主リンク体１６の前方部には、部分円形平面のせり出し面２６を形成し、該せり出し面の表面高さは面カム部２４の表面高さと同じかまたはそれよりも高く、該せり出し面とほぼ同心状に貫通孔２８を設ける。貫通孔２８および取付プレート７の貫通孔１８にピン３０（図５）を通すことにより、主リンク体１６は取付プレート７に対して相互回転可能である。一方、主リンク体１６の後方部は棒状であり、その後端部に貫通孔３２を設け、該貫通孔および支持枠台８の貫通孔３４にピン３６（図５）を通すことにより、主リンク体１６は支持枠台８に対して回動自在である。
【００２１】主リンク体１６は、ほぼ中央部において円柱状のストッパ３８を垂直に設置し、該ストッパに従リンク体２０の突出部４０が係止されるまで蓋体３を開くことができる。主リンク体１６において、後方の棒状部４２は後端に向かって上方へ屈曲し、該棒状部がほぼ水平に達する位置まで主リンク体１６は上下可能である（図５参照）。
【００２２】面カム部２４は、主リンク体１６と別体または一体であり、別体の場合には耐磨耗性の高い金属を用いる。面カム部２４には、従動片４４（図４）の突起７０が嵌る案内溝４６および該案内溝と隣接する凹部４８を形成し、該凹部を矩形薄板５０で被覆して固着する。案内溝４６は、原位置であるほぼ水平の湾曲部４６ａから上方へ急角度に湾曲して上端偶部４６ｂに至る往路と、上端偶部４６ｂから下向き折曲部４６ｃおよび斜め下降部４６ｄを経て原位置に戻る復路からなるほぼハート形平面の環状である。案内溝４６の湾曲部４６ａの上側面は薄板５０の下端面で構成し、下降部４６ｄの左側面は薄板５０の右端面で構成する。
【００２３】面カム部２４の凹部４８内には、細長くて平らなプランジャ片５２を収納し、該プランジャ片を右方へ付勢する捻りコイルバネ５４を取り付ける。プランジャ片５２は、後方円形部が凹部４８の円形部に嵌って前方部が揺動可能であり、その前端面は湾曲部４６ａの上側面と合致するように湾曲している。プランジャ片５２は、バネ５４によって付勢されて斜め下降部４６ｄへ部分的に露出し、案内溝４６の復路を常時閉じている。従動片４４の突起７０が原位置から始動する際には、露出したプランジャ片５２の前端面に接触してから、湾曲部４６ａを経て上端偶部４６ｂに至る。また、従動片４４の突起７０が下向き折曲部４６ｃから下方へ摺動する際には、斜め下降部４６ｄに突出するプランジャ片５２を押し退け、水平部４６ａから原位置に戻る。
【００２４】従リンク体２０は、図４において図３の主リンク体１６との対向面を示している。従リンク体２０は、図４に示すように直線状で細長く、その前方部に貫通孔５６を設ける。貫通孔５６および取付プレート７の貫通孔２２にピン５７（図５）を通すことにより、従リンク体２０は取付プレート７に対して相互回転可能である。一方、従リンク体２０の後端部に貫通孔５８を設け、該貫通孔および支持枠台８の貫通孔６０にピン６２（図５）を通すことにより、従リンク体２０は支持枠台８に対して回動自在である。
【００２５】従リンク体２０の後方部において、アセタール樹脂などのプラスチック製の板カム部６４を一体的に固着し、該カム部の厚みは支持枠台８の内幅にほぼ等しい。板カム部６４の周面は、従リンク体２０の水平位置（図６）における接触点６４ａから図７の位置を経て最大傾斜位置（図５）の接触点６４ｂまでピン６２の中心からの距離が漸減するので、従リンク体２０の上方回動を圧縮コイルバネ６６で補助し、その下方回動つまり蓋体３の閉鎖を圧縮コイルバネ６６で抑制する。
【００２６】従リンク体２０は、ほぼ中央の上面において突出部４０を形成する。突出部４０が主リンク体１６のストッパ３８に係止されると、従リンク体２０および主リンク体１６を静止することにより、蓋体３の開放を阻止する（図５参照）。
【００２７】従リンク体２０の前方には、半円形平面で平らな従動片４４をピン６８で回動自在に取り付ける。従動片４４は、上方突起７０が面カム体２４の案内溝４６内を摺動しながら、従リンク体２０の表面と接した状態で揺動する。従リンク体２０には、従動片４４の回動ピン６８と隣接させてほぼ扇形平面の凹部７２を形成する。凹部７２に関して、従リンク体２０は比較的薄いので、該凹部を貫通形成して裏側に矩形薄板（図示しない）を被せて固着する。凹部７２内には、捻りコイルバネ７４を配置し、該バネの一端部は凹部側壁と他端部は従動片４４の裏側凸部７６に係止することにより、該従動片を図４の突起７０を矢印方向へ付勢している。
【００２８】横断面が細長い逆Ｕ字形である支持枠台８は、前側面が開口した１対の並行壁７８からなり、図５に示すように主リンク体用の貫通孔３４および従リンク体用の貫通孔６０を設ける。貫通孔３４は貫通孔６０よりもかなり後方に配置する。貫通孔３４に嵌入したピン３６は、主リンク体１６の固定軸点であり、該固定軸点は蓋板閉鎖状態（図６）において可動軸点つまりピン３０とほぼ同一平面かまたはわずかに下方に位置する。貫通孔６０に嵌入したピン６２は従リンク体２０の固定軸点であり、該固定軸点は主リンク体１６の固定軸点つまりピン３６よりも下方に位置する。
【００２９】圧縮コイルバネ６６は、支持枠台８内の下方部において水平に配置する。圧縮コイルバネ６６の前方部には、枠台８の内寸に対応する厚みのプラスチックハウジング８０を嵌装し、並行壁７８，７８の間に固着した水平板８２でハウジング８０を前後動可能に支える。ハウジング８０の前端には、円弧状側面の凹部８４を形成し、該凹部で円筒形のコロ８６を保持する。コロ８６は、バネ６６の弾力によって従リンク体２０の板カム部６４のカム面と常に接触する。一方、円形カバー８８をバネ６６の後端に被せ、該カバーはボルト９０の下端部と接触する。ボルト９０は、ネジ孔を設けた板片９２および壁折曲部９４で取り付け、該ボルトによってバネ６６の付勢力を調整できる。
【００３０】開閉装置１は、水平面において主リンク体１６と従リンク体２０との間に取付プレート７の垂直部１４を配置し、ピン３０で主リンク体１６とピン５７で従リンク体２０と相互に連結する。従リンク体２０において、従動片４４の突起７０は主リンク体１６の案内溝４６に沿って摺動する。図６において、蓋板３が閉鎖されていると、主リンク体１６および従リンク体２０はともにほぼ水平に位置し、この位置において、従動片４４の突起７０は原位置つまり案内溝４６の後方部に位置する。
【００３１】次に回転金具１０などを持って蓋体３を上方へ引っ張ると、取付プレート７の垂直部１４を介して主リンク体１６が引き上げられ、支持枠体８におけるピン３６の回りで回動し、図７に示すように蓋体３を上方へそのまま少し持ち上げることができる。このため、蓋体３を、ぴったり嵌った矩形枠体５から容易に脱離できる。この際に、従リンク体２０は、ピン６２の回りで回動して蓋体３をわずかに傾けるだけであり、従動片４４の突起７０は原位置から案内溝４６の水平湾曲部４６ａ内を前進し、露出したプランジャ片５２の前端面に接触して水平湾曲部４６ａを通過する。従動片４４は、湾曲部４６ａを通過時にバネ７４（図４）をかなり押圧する。
【００３２】蓋体３をさらに引き上げると、従動片４４の突起７０が案内溝４６の急角度湾曲部４６ｅを通過することにより、主に従リンク体２０がピン６２の回りで回動し、同時に取付プレート７をピン３０の回りに回動して蓋体３を大きく開口する。この際に、従リンク体２０の上方回動は、圧縮コイルバネ６６（図５）で補助されるので、重い蓋体３でも開放は比較的容易であり、主リンク体１６はピン３６の回りでわずかに回動するだけである。
【００３３】従動片４４の突起７０が案内溝４６の上端偶部４６ｂに到達し、従リンク体２０の突出部４０が主リンク体１６のストッパ３８に係止されると、従リンク体２０および取付プレート７は図５に示す位置にある。図５の位置において、蓋体３の重心はピン３０の中心より外側になるので、ピン５７を経て従リンク体２０に対して上方への引っ張り力が作用することにより、従動片４４の突起７０は案内溝４６の上端偶部４６ｂで係止されて停止する。この結果、蓋体３は図５に示す全開位置で静止する。
【００３４】次に蓋体３を若干閉じ、該蓋体の重心がピン３０の中心より内側に戻ると、ピン５７を経て従リンク体２０は下方への引っ張られて下方へ回動する。同時に従動片４４も下降するけれども、該従動片の突起７０はバネ７４で前方へ付勢されていることにより、案内溝４６の急角度湾曲部４６ｅに戻らず、該案内溝の下向き折曲部４６ｃの方へ移動し、下向き折曲部４６ｃで係止されて停止する。この状態が図８に示す折り返し位置であり、蓋体３は全開位置から直ちに閉鎖せず、全開位置から少し閉じた位置でも安定して静止するので、蓋体３の急閉鎖という危険性を防止でき、蓋体３を開いて内部作業を行う際などに安全である。
【００３５】蓋体３を図８の折り返し位置から若干引き上げると、ピン５７を経て従リンク体２０は上方へ引っ張られて上方へ回動する。同時に従動片４４も上昇し、該従動片の突起７０がバネ７４で前方へ付勢されていることにより、案内溝４６の下向き折曲部４６ｃに戻らず、該案内溝の斜め下降部４６ｄの方へ移動する。
【００３６】蓋体３を若干引き上げてから軽く下方へ押すと、その自重によって取付プレート７がピン３０の回りで回動して蓋体３を閉じ、同時に従リンク体２０がピン６２の回りで下方へ回動する。従リンク体２０の下方回動は、圧縮コイルバネ６６で抑制され、重い蓋体３であっても急激に下降しないので安全である。従動片４４の突起７０は、下向き折曲部４６ｃから下方へ摺動し、斜め下降部４６ｄ（図３）に突出するプランジャ片５２を押し退けて水平部４６ａに戻る。この際に、主リンク体１６はピン３６の回りでわずかに下方へ回動し、図７に示す位置に戻る。
【００３７】蓋体３を完全に閉じると、該蓋体は図７の位置からほぼ垂直に下降して図６の位置に達する。この際に、従動片４４の突起７０は、水平部４６ａに戻ってから後進して原位置に復帰する。
【００３８】
【発明の効果】
本発明に係る水平蓋開閉装置は、蓋板が枠体にぴったり嵌合し、枠体との間に間隙や段差が生じないので全体の美観および実用性に優れ、机の天板の一部、キャビネットの水平蓋、自動車のコンソールボックスなどに適用できる。本発明の水平蓋開閉装置では、人が蓋体の上を歩くことがあってもつまずくことがなく、ビルや個人住宅における排水溝や配管容器の蓋、工場のマンホール蓋、地下室への入口扉などに利用できる。
【００３９】本発明の水平蓋開閉装置を適用すると、圧縮コイルバネの弾力による補助と抑制により、重い蓋板であっても開閉が比較的容易である。したがって、非力な人でも容易に重い水平蓋を開くことができ、重い蓋体でも自重で急激に閉まらずに緩やかに閉まり、該蓋体で指や足を挟むことがないので安全である。
【００４０】本発明の水平蓋開閉装置では、蓋板を全開位置で静止できるだけでなく、少し閉じた折り返し位置でも確実に静止する。この折り返し位置でも蓋体は安定して静止するので、蓋体が全開位置から急激に閉鎖することを折り返し位置で止めることができる。このため、人が寄りかかったり地震などの振動で全開位置の蓋体が急閉鎖することを防ぐという安全機構を構成しており、該蓋体を開いたままで内部作業を安全に実施できる。
【図面の簡単な説明】
【図１】本発明に係る水平蓋開閉装置を取り付けた蓋板の概略平面図である。
【図２】本発明で用いる取付プレートを蓋体とともに示す側面図である。
【図３】本発明で用いる主リンク体を示す側面図である。
【図４】本発明で用いる従リンク体を示す一部断面の側面図であり、図２および図３と反対側の側面を示す。
【図５】水平蓋開閉装置を完全開口した状態を一部切り欠いて示す側面図である。
【図６】水平蓋開閉装置を完全閉鎖した状態を示す側面図であり、従リンク体は一点鎖線で示す。
【図７】水平蓋開閉装置を部分開口した状態を示す側面図であり、従リンク体は一点鎖線で示す。
【図８】水平蓋開閉装置を折り返し開口した状態を示す側面図であり、従リンク体は一点鎖線で示す。
【図９】従来の水平蓋容器を示す概略断面図である。
【符号の説明】
１  水平蓋開閉装置
３  蓋板
５  枠体
７  取付プレート
８  支持枠台
２４  面カム部
４４  従動片
４６  案内溝
５２  プランジャ片
６６  圧縮コイルバネ
【図１】
2004323070.tif 000003
【図２】
2004323070.tif 000004
【図３】
2004323070.tif 000005
【図４】
2004323070.tif 000006
【図５】
2004323070.tif 000007
【図６】
2004323070.tif 000008
【図７】
2004323070.tif 000009
【図８】
2004323070.tif 000010
【図９】
2004323070.tif 000011